(57)【要約】【課題】石から作られた環境紙材及びその製造方法を提供すること。【解決手段】技術手段は、石粉と、純白なケイ素粉末と、無害樹脂などの無害原料を用いて作製された環境紙材及びその製造方法である。本発明の環境紙材は原紙のほか、筆記用環境紙またはアート紙などの特定用紙に加工でき、インク吸収性が良く、防水性が強く、強度に優れ、折り曲げに強く、環境に優しく、汚染がないなどの長所を有する。最も重要な点は、この種の環境紙材は炭酸カルシウム（ＣａＣＯ3）成分を含まないため、焼却時に酸性気体の発生がないので、安心して焼却炉に入れて焼却することができる点である。【選択図】図２
2014098141.tif 000002
【特許請求の範囲】
【請求項１】
石から作られた環境紙材であって、
石粉と、純白なケイ素粉末とを含有する主原料成分と、
無害樹脂である第１副原料成分と、を含み、
前記環境紙材は前記石粉と、前記純白なケイ素粉末と、前記無害樹脂から作製された複数のストーンペーパー粒子を圧延してなるものであることを特徴とする、
石から作られた環境紙材。
【請求項２】
前記石粉と、前記純白なケイ素粉末と、前記無害樹脂との接着結合を補強するための接着剤である第２副原料成分をさらに含むことを特徴とする、請求項１記載の石から作られた環境紙材。
【請求項３】
前記純白なケイ素粉末は少なくとも９９％のケイ素（Ｓｉ）を含有することを特徴とする、請求項１記載の石から作られた環境紙材。
【請求項４】
前記純白なケイ素粉末の大きさは１０-6〜１０-9ｍの間であることを特徴とする、請求項１記載の石から作られた環境紙材。
【請求項５】
前記無害樹脂は、ポリプロピレン（ｐｏｌｙｐｒｏｐｙｌｅｎｅ，ＰＰ）、ポリエチレン（Ｐｏｌｙｅｔｈｙｌｅｎｅ，ＰＥ）のいずれかから選択されることを特徴とする、請求項１記載の石から作られた環境紙材。
【請求項６】
以下のステップ（１）〜（５）を含むことを特徴とする、
石から作られた環境紙材の製造方法、
（１）複数の石を石粉になるまで作製するステップ、
（２）前記石粉と、純白なケイ素粉末とを主原料成分になるように混合するステップ、
（３）無害樹脂を第１副原料成分として調製するステップ、
（４）複数のストーンペーパー粒子を、前記主原料成分と前記第１副原料成分とを造粒設備にて造粒して作製するステップ、
（５）前記複数のストーンペーパー粒子を圧延設備を用いて原紙に仕上げるステップ。
【請求項７】
以下のステップ（６）〜（８）をさらに含むことを特徴とする、請求項６記載の石から作られた環境紙材の製造方法、
（６）前記原紙の成形工程を実行するステップ、
（７）前記原紙の表面処理工程を実行して環境紙材を得るステップ、
（８）前記環境紙材を適当な大きさに裁断するステップ。
【請求項８】
以下のステップ（６ａ）〜（９ａ）をさらに含むことを特徴とする、請求項６記載の石から作られた環境紙材の製造方法、
（６ａ）前記原紙のラミネート工程を実行するステップ、
（７ａ）前記原紙の成形工程を実行するステップ、
（８ａ）前記原紙の表面処理工程を実行して特殊環境紙材を得るステップ、
（９ａ）前記特殊環境紙材を適当な大きさに裁断するステップ。
【請求項９】
さらに、ステップ（４）において、第２副原料成分を加え、前記第２副原料成分は前記石粉と、前記純白なケイ素粉末と、前記無害樹脂との接着結合を補強するための接着剤であることを特徴とする、請求項６記載の石から作られた環境紙材の製造方法。
【請求項１０】
前記純白なケイ素粉末は少なくとも９９％のケイ素（Ｓｉ）を含有することを特徴とする、請求項６記載の石から作られた環境紙材の製造方法。
【請求項１１】
前記純白なケイ素粉末の大きさは１０-6〜１０-9ｍの間であることを特徴とする、請求項６記載の石から作られた環境紙材の製造方法。
【請求項１２】
前記無害樹脂は、ポリプロピレン（ｐｏｌｙｐｒｏｐｙｌｅｎｅ，ＰＰ）、ポリエチレン（Ｐｏｌｙｅｔｈｙｌｅｎｅ，ＰＥ）のいずれかから選択されることを特徴とする、請求項６記載の石から作られた環境紙材の製造方法。
【発明の詳細な説明】
【技術分野】
【０００１】
本発明はストーンペーパーとその製造方法に関し、特に炭酸カルシウム（ＣａＣＯ3）成分を含まず、石から作られた環境紙材及びその製造方法に関する。
【背景技術】
【０００２】
従来の紙材は木材パルプを原料として作られる。しかし、１トン当たりの紙材を生産するために４トンの木材チップが消費される。このために２３本の樹木を伐採しなければならない。この点から分かるように、従来の紙材を絶えず生産すると、地球上の森林面積が次第に減って行き、深刻な生態的アンバランス及び環境問題が引き起こされる。
【０００３】
従来の紙材による生態的アンバランス及び環境問題について、台湾龍盟科技股▲分▼有限公司の研究開発チームがストーンペーパーという環境紙材を開発している。図１Ａと図１Ｂに示すストーンペーパーの製造フロー図を参照する。ストーンペーパーの製造過程は、以下のとおりである。
【０００４】
ステップ（１）：図１Ａに示すように、大理石１’（石灰石とも言う。炭酸カルシウム（ＣａＣＯ3含有量７０〜８０％以上））を選択して、微細粉末になるまで磨砕する。
【０００５】
ステップ（２）：大理石粉末２’を無害樹脂３’と、少量の添加剤とを混合する。なお、無害樹脂は例えばＰＰまたはＰＥのいずれかであってもよい。
【０００６】
ステップ（３）：ストーンペーパー粒子４’を、ステップ（２）の生成物を造粒機にて造粒して作製する。
【０００７】
ステップ（４）：図１Ｂに示すように、ストーンペーパー５’を、ストーンペーパー粒子４’を造粒機にて圧延してなる。
【発明の概要】
【発明が解決しようとする課題】
【０００８】
ストーンペーパーは後述する長所イ、ロ、ハを有するが、ストーンペーパーを焼却した後には酸性気体を発生し、焼却炉設備を損傷する点は、ストーンペーパーに存在する従来な欠点である。よって、環境保護効果を有するストーンペーパーに欠点及び不足があることから、本願の発明者が鋭意に研究開発した結果、石から作られた環境紙材及びその製造方法を見出した。
【課題を解決するための手段】
【０００９】
本発明の主な目的は石から作られた環境紙材を提供することである。石粉と、純白なケイ素粉末と、無害樹脂などの無害原料から作製され、インク吸収性が良く、防水性が強く、強度に優れ、折り曲げに強く、環境に優しく、汚染がないなどの長所を有すると共に、この種の環境紙材には炭酸カルシウム（ＣａＣＯ3）成分を含まないため、焼却時に酸性気体の発生がないので、安心して焼却炉に入れて焼却できる。
【００１０】
前述した本発明の目的を達成するため、本願の発明者は石から作られた環境紙材を提案する。それは、石粉と純白なケイ素粉末とを含有する主原料成分と、無害樹脂である第１副原料成分と、を含む環境紙材である。そのうち、環境紙材は石粉と、純白なケイ素粉末と、無害樹脂から作製された複数のストーンペーパー粒子を圧延してなるものである。
【００１１】
本発明のもう１つの目的は、石から作られた環境紙材の製造方法を提供する。石から作られた環境紙材の製造に用いることができ、石から作られた環境紙材の製造方法は以下のステップ（１）〜（５）を含む。
【００１２】
（１）複数の石を石粉になるまで作製するステップ。
【００１３】
（２）石粉と、純白なケイ素粉末とを主原料成分になるように混合するステップ。
【００１４】
（３）無害樹脂を第１副原料成分として調製するステップ。
【００１５】
（４）複数のストーンペーパー粒子を、主原料成分と第１副原料成分とを造粒設備にて造粒して作製するステップ。
【００１６】
（５）複数のストーンペーパー粒子を圧延設備を用いて原紙に仕上げるステップ。
【発明の効果】
【００１７】
本発明の石から作られた環境紙材及びその製造方法は以上のとおり完全、かつ詳細にわたり開示されており、以上の説明より、本発明は以下の長所を有することが分かる。
【００１８】
イ、生産プロセスは環境に優しく、汚染がない：本発明の石から作られた環境紙材の製造原料はすべて無害物質であり、紙パルプをまったく使用していない。しかも生産プロセスには水の添加は不要なため、ストーンペーパーの生産プロセス自体がエコに即した生産プロセスである。
【００１９】
ロ、リサイクルが容易：本発明の石から作られた環境紙材を日に晒すと、脆化しダストとなって、自然に戻される。
【００２０】
ハ、防水性が強い：本発明の石から作られた環境紙材を筆記用紙に加工した後の品質は、インク吸着性、強度、折り曲げなどの点について、従来の紙材に遜色しないほか、石から作られた筆記用紙はより優れた防水性を有する。
【００２１】
ニ、最も重要な点は、公知のストーンペーパーに比べて、本発明の石から作られた環境紙材は炭酸カルシウム（ＣａＣＯ3）成分を含まないため、焼却時に酸性気体の発生がないので、安心して焼却炉に入れて焼却することができる。
【図面の簡単な説明】
【００２２】
【図１Ａ】ストーンペーパーの製造フロー図である。
【図１Ｂ】ストーンペーパーの製造フロー図である。
【図２】本発明の石から作られた環境紙材の製造方法のフロー図である。
【図３Ａ】石から作られた環境紙材の生産プロセスを示す図である。
【図３Ｂ】石から作られた環境紙材の生産プロセスを示す図である。
【図３Ｃ】石から作られた環境紙材の生産プロセスを示す図である。
【図４】第１後工程の製造方法のフロー図である。
【図５】第２後工程の製造方法のフロー図である。
【発明を実施するための形態】
【００２３】
本発明の石から作られた環境紙材及びその製造方法をより理解できるようにするため、本発明の実施例を、図面を参照しながら以下で詳細に説明する。
【実施例】
【００２４】
まず、本発明の石から作られた環境紙材を説明する。係る環境紙材は主原料成分と、第１副原料成分とを含む。そのうち、主原料成分は石粉と、純白なケイ素粉末とを混合されたものであり、第１副原料成分は無害樹脂である。製造する時は、石粉と、純白なケイ素粉末と、無害樹脂から複数のストーンペーパー粒子が作製される。
次に、それらのストーンペーパー粒子を圧延設備を用いて本発明の石から作られた環境紙材に仕上げる。このほか、石粉、純白なケイ素粉末と、無害樹脂との接着密度を調整するため、生産プロセスにおいて、第２副原料成分となる接着剤を加えることができる。この接着剤の添加により、石粉と、純白なケイ素粉末と、無害樹脂との接着結合を補強することができる。
【００２５】
引き続き、純白なケイ素粉末と、無害樹脂の原料ソースの詳細について説明する。純白なケイ素粉末の大きさは１０-6〜１０-9ｍの間とし、少なくとも９９％のケイ素（Ｓｉ）を含有し、ケイ素の含有量は非常に高く、無害樹脂は例えばポリプロピレン（ｐｏｌｙｐｒｏｐｙｌｅｎｅ，ＰＰ）またはポリエチレン（Ｐｏｌｙｅｔｈｙｌｅｎｅ，ＰＥ）であってもよい。
【００２６】
石から作られた環境紙材の説明は以上のとおりである。引き続き、本発明の石から作られた環境紙材の製造方法について説明する。
引き続き図２の、本発明の石から作られた環境紙材の製造方法のフロー図を参照し、図３Ａないし図３Ｃの、本発明の石から作られた環境紙材の生産プロセスを示す図と、を合わせて参照する。図２に示すように、本発明の石から作られた環境紙材の製造方法は以下のステップを含む。
【００２７】
図３Ａに示すように、製造方法のフローは、まずステップ（Ｓ０１）とステップ（Ｓ０２）において、複数の石１を石粉２になるまで粉砕して作製した上、石粉２と純白なケイ素粉末４とを主原料成分４０になるように混合する。
引き続き図３Ｂに示すように、ステップ（Ｓ０３）とステップ（Ｓ０４）に進み、無害樹脂３を第１副原料成分３０として調製した上、複数のストーンペーパー粒子５を、主原料成分４０と第１副原料成分３０とを造粒設備（図示しない）にて造粒して作製する。
最後に、図３Ｃに示すように、複数のストーンペーパー粒子５を圧延設備を用いて原紙６に仕上げる。
【００２８】
このほか、石粉２、純白なケイ素粉末４と、無害樹脂３との接着密度調整するため、ステップ（Ｓ０４）の生産プロセスにおいて、第２副原料成分となる接着剤を加えることができる。この接着剤の添加により、石粉２、純白なケイ素粉末４と、無害樹脂３との接着結合を補強することができる。純白なケイ素粉末４と、無害樹脂３の原料ソースは前述しているため、ここでの詳細説明を省略する。
【００２９】
特に説明したいことは、前述したステップ（Ｓ０１）〜ステップ（Ｓ０５）を経て仕上げられた環境紙材は原紙６にすぎず、後工程の加工により、筆記用環境紙またはアート紙などの特定用紙に仕上げられる。
引き続き、図４の、第１後工程の製造方法のフロー図を参照する。図４に示すように、前述したステップ（Ｓ０５）で得られた原紙６を第１後工程によって、筆記用環境紙に仕上げることができる。第１後工程の製造プロセスは以下のステップを含む。
【００３０】
まず、ステップ（Ｓ０６）に進み、原紙の成形工程を実行した後、ステップ（Ｓ０７）に進み、原紙の表面処理工程を実行して環境紙材を得る。最後に、ステップ（Ｓ０８）によって、環境紙材をＡ４サイズなどの適当な大きさに裁断し、使用者の書写に提供する。
【００３１】
引き続き、図５の、第２後工程の製造方法のフロー図を参照する。図５に示すように、前述したステップ（Ｓ０５）で得られた原紙６を第２後工程によって、アート紙や内装材料などの特定用紙に仕上げることができる。第２後工程の製造プロセスは以下のステップを含む。
【００３２】
まず、ステップ（Ｓ０６ａ）に進み、原紙のラミネート工程を実行した上、引き続き、ステップ（Ｓ０７ａ）に進み、原紙の成形工程を実行した後、ステップ（Ｓ０８ａ）に進み、原紙の表面処理工程を実行して特殊環境紙材を得る。
最後に、ステップ（Ｓ０９ａ）に進み、環境紙材を適当な大きさに裁断する。このように、第２後工程の加工で得られた環境紙材は、マーブル紙、ダンディ紙、紙表紙などのアート紙として用いられるか、またはカラーアート紙などの内装材料として用いられることもできる。
【符号の説明】
【００３３】
Ｓ０１〜Ｓ０５      方法のステップ
１                  石
２                  石粉
３                  無害樹脂
４                  純白なケイ素粉末
４０                主原料成分
３０                第１副原料成分
５                  ストーンペーパー粒子
６                  原紙
Ｓ０６〜Ｓ０８      方法のステップ
Ｓ０６ａ〜Ｓ０９ａ  方法のステップ
１’                大理石
２’                大理石粉末
３’                無害樹脂
４’                ストーンペーパー粒子
５’                ストーンペーパー
【図１Ａ】
2014098141.tif 000003
【図１Ｂ】
2014098141.tif 000004
【図２】
2014098141.tif 000005
【図３Ａ】
2014098141.tif 000006
【図３Ｂ】
2014098141.tif 000007
【図３Ｃ】
2014098141.tif 000008
【図４】
2014098141.tif 000009
【図５】
2014098141.tif 000010